【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
ε−ＶＯＰＯ４を活性成分として含む正極であって、
前記正極は、ナトリウムイオンの注入および放出に対応することができる、正極。
【請求項２】
前記正極は、ＮａＦｅＰＯ４、ＮａＶＰＯ４Ｆ、Ｎａ３Ｖ２（ＰＯ４）２Ｆ３、Ｎａ２ＦｅＰＯ４Ｆ、Ｎａ３Ｖ２（ＰＯ４）３、分子式ＮａｘＣｏＯ２（式中、ｘは、０．４〜１の数値である）を有する化合物、斜方晶Ｎａ０．４４ＭｎＯ２、分子式ＮａＦｅＯ２を有する層状ナトリウム酸化鉄、分子式ＮａＣｒＯ２を有するナトリウム酸化クロム、層状ＮａＮｉ０．５Ｍｎ０．５Ｏ２、ＮａＶ６Ｏ１５ナノロッド、分子式ＮａｘＴｉＳ２を有する層状硫化物、ペロブスカイト型遷移金属フッ化物、およびＮａ＋超イオン導電体（ＮＡＳＩＣＯＮ）化合物からなる群から選択された補助材料をさらに含む、請求項１に記載の正極。
【請求項３】
導電性添加物をさらに含む、請求項１に記載の正極。
【請求項４】
前記正極は、ポリフッ化ビニリデン（ＰＶＤＦ）、ポリテトラフルオロエチレン（ＰＴＦＥ）、スチレンブタジエンゴム（ＳＢＲ）およびポリイミドからなる群から選択されたバインダをさらに含む、請求項１に記載の正極。
【請求項５】
前記正極は、分子式Ｎａｘ（ε−ＶＯＰＯ４）（式中、ｘは、０．１〜１．０の数値である）を有するナトリウム注入物をさらに含み、
Ｎａは、ε−ＶＯＰＯ４に可逆的に注入およびそこから放出することができる、請求項１に記載の正極。
【請求項６】
前記正極は、ＮａＦｅＰＯ４、ＮａＶＰＯ４Ｆ、Ｎａ３Ｖ２（ＰＯ４）２Ｆ３、Ｎａ２ＦｅＰＯ４Ｆ、Ｎａ３Ｖ２（ＰＯ４）３、分子式ＮａｘＣｏＯ２（式中、ｘは、０．４〜１の数値である）を有する化合物、斜方晶Ｎａ０．４４ＭｎＯ２、分子式ＮａＦｅＯ２を有する層状ナトリウム酸化鉄、分子式ＮａＣｒＯ２を有するナトリウム酸化クロム、層状ＮａＮｉ０．５Ｍｎ０．５Ｏ２、ＮａＶ６Ｏ１５ナノロッド、分子式ＮａｘＴｉＳ２を有する層状硫化物、ペロブスカイト型遷移金属フッ化物およびＮａ＋超イオン導電体（ＮＡＳＩＣＯＮ）化合物からなる群から選択された補助材料をさらに含む、請求項５に記載の正極。
【請求項７】
導電性添加物をさらに含む、請求項５に記載の正極。
【請求項８】
前記正極は、ポリフッ化ビニリデン（ＰＶＤＦ）、ポリテトラフルオロエチレン（ＰＴＦＥ）、スチレンブタジエンゴム（ＳＢＲ）およびポリイミドからなる群から選択されたバインダをさらに含む、請求項５に記載の正極。
【請求項９】
正極を備えるナトリウムイオン電気化学電池であって、
前記正極は、ε−ＶＯＰＯ４を活性成分として含む、ナトリウムイオン電気化学電池。
【請求項１０】
前記正極は、ＮａＦｅＰＯ４、ＮａＶＰＯ４Ｆ、Ｎａ３Ｖ２（ＰＯ４）２Ｆ３、Ｎａ２ＦｅＰＯ４Ｆ、Ｎａ３Ｖ２（ＰＯ４）３、分子式ＮａｘＣｏＯ２（式中、ｘは、０．４〜１の数値である）を有する化合物、斜方晶Ｎａ０．４４ＭｎＯ２、分子式ＮａＦｅＯ２を有する層状ナトリウム酸化鉄、分子式ＮａＣｒＯ２を有するナトリウム酸化クロム、層状ＮａＮｉ０．５Ｍｎ０．５Ｏ２、ＮａＶ６Ｏ１５ナノロッド、分子式ＮａｘＴｉＳ２を有する層状硫化物、ペロブスカイト型遷移金属フッ化物およびＮａ＋超イオン導電体（ＮＡＳＩＣＯＮ）化合物からなる群から選択された補助材料をさらに含む、請求項９に記載のナトリウムイオン電気化学電池。
【請求項１１】
前記正極は、導電性添加物をさらに含む、請求項９に記載のナトリウムイオン電気化学電池。
【請求項１２】
前記正極は、ポリフッ化ビニリデン（ＰＶＤＦ）、ポリテトラフルオロエチレン（ＰＴＦＥ）、スチレンブタジエンゴム（ＳＢＲ）およびポリイミドからなる群から選択されたバインダをさらに含む、請求項９に記載のナトリウムイオン電気化学電池。
【請求項１３】
前記正極は、分子式Ｎａｘ（ε−ＶＯＰＯ４）（式中、ｘは、０．１〜１．０の数値である）を有するナトリウム注入物をさらに含み、
Ｎａは、ε−ＶＯＰＯ４に可逆的に注入およびそこから放出することができる、請求項９に記載のナトリウムイオン電気化学電池。
【請求項１４】
前記正極は、ＮａＦｅＰＯ４、ＮａＶＰＯ４Ｆ、Ｎａ３Ｖ２（ＰＯ４）２Ｆ３、Ｎａ２ＦｅＰＯ４Ｆ、Ｎａ３Ｖ２（ＰＯ４）３、分子式ＮａｘＣｏＯ２（式中、ｘは、０．４〜１の数値である）を有する化合物、斜方晶Ｎａ０．４４ＭｎＯ２、分子式ＮａＦｅＯ２を有する層状ナトリウム酸化鉄、分子式ＮａＣｒＯ２を有するナトリウム酸化クロム、層状ＮａＮｉ０．５Ｍｎ０．５Ｏ２、ＮａＶ６Ｏ１５ナノロッド、分子式ＮａｘＴｉＳ２を有する層状硫化物、ペロブスカイト型遷移金属フッ化物およびＮａ＋超イオン導電体（ＮＡＳＩＣＯＮ）化合物からなる群から選択された補助材料をさらに含む、請求項１３に記載のナトリウムイオン電気化学電池。
【請求項１５】
前記正極は、導電性添加物をさらに含む、請求項１３に記載のナトリウムイオン電気化学電池。
【請求項１６】
前記正極は、ポリフッ化ビニリデン（ＰＶＤＦ）、ポリテトラフルオロエチレン（ＰＴＦＥ）、スチレンブタジエンゴム（ＳＢＲ）およびポリイミドからなる群から選択されたバインダをさらに含む、請求項１３に記載のナトリウムイオン電気化学電池。
【請求項１７】
可逆ナトリウム電池であって、
負極と、
正極と、
ナトリウムイオンを含有する電解質とを含み、
前記正極は、集電体と、分子式ε−ＶＯＰＯ４（Ｉ）を有する活性材料とを含む、可逆ナトリウム電池。
【請求項１８】
前記正極は、ＮａＦｅＰＯ４、ＮａＶＰＯ４Ｆ、Ｎａ３Ｖ２（ＰＯ４）２Ｆ３、Ｎａ２ＦｅＰＯ４Ｆ、Ｎａ３Ｖ２（ＰＯ４）３、分子式ＮａｘＣｏＯ２（式中、ｘは、０．４〜１の数値である）を有する化合物、斜方晶Ｎａ０．４４ＭｎＯ２、分子式ＮａＦｅＯ２を有する層状ナトリウム酸化鉄、分子式ＮａＣｒＯ２を有するナトリウム酸化クロム、層状ＮａＮｉ０．５Ｍｎ０．５Ｏ２、ＮａＶ６Ｏ１５ナノロッド、分子式ＮａｘＴｉＳ２を有する層状硫化物、ペロブスカイト型遷移金属フッ化物およびＮａ＋超イオン導電体（ＮＡＳＩＣＯＮ）化合物からなる群から選択された補助材料をさらに含む、請求項１７に記載の可逆ナトリウム電池。
【請求項１９】
前記正極は、導電性添加物をさらに含む、請求項１７に記載の可逆ナトリウム電池。
【請求項２０】
前記正極は、ポリフッ化ビニリデン（ＰＶＤＦ）、ポリテトラフルオロエチレン（ＰＴＦＥ）、スチレンブタジエンゴム（ＳＢＲ）およびポリイミドからなる群から選択されたバインダをさらに含む、請求項１７に記載の可逆ナトリウム電池。
【請求項２１】
前記正極は、分子式Ｎａｘ（ε−ＶＯＰＯ４）（式中、ｘは、０．１〜１．０の数値である）を有するナトリウム注入物をさらに含み、
Ｎａは、ε−ＶＯＰＯ４に可逆的に注入およびそこから放出することができる、請求項１７に記載の可逆ナトリウム電池。
【請求項２２】
前記正極は、ＮａＦｅＰＯ４、ＮａＶＰＯ４Ｆ、Ｎａ３Ｖ２（ＰＯ４）２Ｆ３、Ｎａ２ＦｅＰＯ４Ｆ、Ｎａ３Ｖ２（ＰＯ４）３、分子式ＮａｘＣｏＯ２（式中、ｘは、０．４〜１の数値である）を有する化合物、斜方晶Ｎａ０．４４ＭｎＯ２、分子式ＮａＦｅＯ２を有する層状ナトリウム酸化鉄、分子式ＮａＣｒＯ２を有するナトリウム酸化クロム、層状ＮａＮｉ０．５Ｍｎ０．５Ｏ２、ＮａＶ６Ｏ１５ナノロッド、分子式ＮａｘＴｉＳ２を有する層状硫化物、ペロブスカイト型遷移金属フッ化物およびＮａ＋超イオン導電体（ＮＡＳＩＣＯＮ）化合物からなる群から選択された補助材料をさらに含む、請求項２１に記載の可逆ナトリウム電池。
【請求項２３】
前記正極は、導電性添加物をさらに含む、請求項２１に記載の可逆ナトリウム電池。
【請求項２４】
前記正極は、ポリフッ化ビニリデン（ＰＶＤＦ）、ポリテトラフルオロエチレン（ＰＴＦＥ）、スチレンブタジエンゴム（ＳＢＲ）およびポリイミドからなる群から選択されたバインダをさらに含む、請求項２１に記載の可逆ナトリウム電池。
【請求項２５】
前記電解質は、Ｎａ２ＳＯ４、ＮａＮＯ３、ＮａＣｌＯ４、Ｎａ３ＰＯ４、Ｎａ２ＣＯ３、ＮａＯＨ、ＮａＰＦ６、ＮａＮ（ＣＦ３ＳＯ２）２、ＮａＮ（ＳＯ２Ｆ）２、およびＮａＣＦ３ＳＯ３からなる群から選択された塩を含む、請求項１７に記載の可逆ナトリウム電池。
【請求項２６】
前記電解質は、有機ニトリル溶媒および／または有機カーボネート溶媒を含む、請求項１７に記載の可逆ナトリウム電池。
【請求項２７】
前記電解質は、アセトニトリル、エチレンカーボネート、ジエチルカーボネート、およびプロピレンカーボネートのうち少なくとも１つを含む、請求項２６に記載の可逆ナトリウム電池。
【請求項２８】
前記電解質は、Ｎａ２ＳＯ４、ＮａＮＯ３、ＮａＣｌＯ４、Ｎａ３ＰＯ４、Ｎａ２ＣＯ３、ＮａＯＨ、ＮａＰＦ６、ＮａＮ（ＣＦ３ＳＯ２）２、ＮａＮ（ＳＯ２Ｆ）２、およびＮａＣＦ３ＳＯ３からなる群から選択された塩を含む、請求項２１に記載の可逆ナトリウム電池。
【請求項２９】
前記電解質は、カーボネート溶媒を含む、請求項２１に記載の可逆ナトリウム電池。
【請求項３０】
前記電解質は、エチレンカーボネート、ジエチルカーボネート、およびプロピレンカーボネートのうち少なくとも１つを含む、請求項２１に記載の可逆ナトリウム電池。
【請求項３１】
分子式Ｎａｘ（ε−ＶＯＰＯ４）（式中、ｘは、０．１〜１．０の数値である）を有するナトリウム注入物を作製する方法であって、
少なくとも１つのナトリウムイオンをε−ＶＯＰＯ４に電気化学的に注入することを含む、方法。